(57)【特許請求の範囲】
【請求項１】
ベースと、該ベースに取付けられたブレーク側固定接点ばねおよびメーク側固定接点ばねと、該ブレーク側固定接点ばねおよび該メーク側固定接点ばねの上方に配置され、該ベースに係着された駆動部とを有する電磁継電器において、
該ブレーク側固定接点ばねが、該ベースと平行な第１の接点固定腕と、該第１の接点固定腕と交差し該ベースを貫通する第１のリード端子部とを有し、
該メーク側固定接点ばねが、該ベースと平行な第２の接点固定腕と、該第２の接点固定腕と交差する第２のリード端子部と、該第２のリード端子部から突出し該ベースの側面に圧入して該メーク側固定接点ばねを該ベースに取付ける固定片とを有し、
該駆動部が、ボビンに巻回されたコイルと、該ボビンに添設され該ボビンを貫通した鉄心の先端に短片側が固着され、該鉄心の下方に該鉄心と平行に長片側が配設されたＬ字状の継鉄と、該継鉄の下方に該鉄心と平行に配設され一端が該鉄心の頭頂部に固着された可動接点ばねと、該可動接点ばねに固着され、該可動接点ばねと該継鉄の間に該継鉄と対向するように配設された接極子とを有し、
該ベースに該駆動部を、該可動接点ばねが該ベースに取付けられた該ブレーク側固定接点ばねと該メーク側固定接点ばね間に位置するように係着することにより、該ベースと該駆動部の該コイルとの間に該可動接点ばねと該ブレーク固定接点ばねと該メーク固定接点ばねおよび該継鉄と該接極子が設けられていることを特徴とする電磁継電器。
【請求項２】
前記ベースに係着された少なくとも２個の前記駆動部を有し、かつ該駆動部にそれぞれ対応する少なくとも２個の前記ブレーク側固定接点ばねと、少なくとも２個の前記メーク側固定接点ばねとを有する請求項１記載の電気継電器。
【請求項３】
前記ベースに係着された少なくとも２個の前記駆動部と、該ベースに圧入された１個の前記ブレーク側固定接点ばねおよびメーク側固定接点ばねとを有し、該ブレーク側固定接点ばねおよびメーク側固定接点ばねが、少なくとも２個の該駆動部の可動接点ばねと対向する請求項１記載の電磁継電器。
【請求項４】
前記鉄心が、ヘッダー加工によって形成された頭頂部を有する請求項１記載の電磁継電器。
【請求項５】
前記ボビンが、可動接点ばねの延長線上に設けられた調整窓を有する請求項１記載の電磁継電器。
【発明の詳細な説明】
【０００１】
【発明の属する技術分野】
本発明は自動車等に搭載される車載用設備や音響用設備、パソコン等に組み込まれる電磁継電器に係り、特に制御電力の増大と専有面積の縮小が可能で部品の製造および組立が容易な電磁継電器の構造に関する。
【０００２】
近年、車載用部品の電動化が進みモータやソレノイド等を制御する手段として多くの電磁継電器が利用されているが、限られた空間に数多く実装されるため車載用部品と共に組み込まれる電磁継電器は専有面積の小さいことが要求される。
【０００３】
また、比較的大電流が流れるモータやソレノイド等の動力源を制御する電磁継電器は制御電力の高容量化が要求され、しかも、数多くの電磁継電器が実装されるため部品の製造および組立が容易がコストの低減が可能なことが要求される。
【０００４】
しかし、現在使用されている大電力用電磁継電器は一般に専有面積および容積が大きく上記用途への適用が困難であり、各種信号の制御等に用いられる小型電磁継電器は高密度な実装に適するが構造上制御電力の高容量化には限度がある。
【０００５】
そこで制御電力の増大と専有面積の縮小が可能で部品の製造および組立が容易な電磁継電器の開発が要望されている。
【０００６】
【従来の技術】
図６は従来の大電力用電磁継電器の主要部を示す斜視図、図７は従来の小型電磁継電器の主要部を示す斜視図である。
【０００７】
図６において従来の大電力用電磁継電器はボビン11に巻回されたコイル12と、コイル12を貫通するＵ字状の鉄芯13とからなる電磁石を有し、鉄芯13の端面に対向する接極子14は可動接点ばね15を介して鉄芯13に揺動自在に固定されている。
【０００８】
なお、Ｕ字状の鉄芯13はコイル12を貫通する円柱状部材と該円柱状部材の下端にかしめられたＬ字状部材からなり、鉄芯13の端面に対向せしめた接極子14は可動接点ばね15を介してリベット等によりＬ字状部材の先端に鋲着されている。
【０００９】
リベット等により接極子14に鋲着され接極子14と共に動く可動接点ばね15は先端に可動接点16が固着されており、可動接点16は固定接点ばね17に固着された固定接点18および固定接点ばね19に固着された固定接点20と対向している。
【００１０】
Ｌ字状に曲げられた固定接点ばね17、19はそれぞれ長軸部がボビン11の延長部分を貫通することにより２点が支承され、所定の隙間を介して可動接点16と対向する固定接点18、20はそれぞれ固定接点ばね17、19の短軸部に固着されている。
【００１１】
コイル12に電圧を印加すると開放状態から動作状態に転じそれまで離れていた接極子14が鉄芯13の端面に磁気吸着され、開放時にブレーク側の固定接点20に当接していた可動接点16が固定接点20から離れメーク側の固定接点18に当接する。
【００１２】
また、コイル12への印加電圧が開放電圧以下になると電磁石の吸引力が低下し吸引されていた接極子14が開放されて、可動接点ばね15の復元力によって接極子14が元の位置に戻り可動接点16が固定接点18から離れて固定接点20に当接する。
【００１３】
従来の小型電磁継電器は図７に示す如く長方形をした筒状のケース21とケース21内に嵌挿される駆動部22とで構成され、固定接点ばね23や駆動部22によって駆動される可動接点ばね24はケース21の外壁部にインサートモールドされている。
【００１４】
また、駆動部22はボビン25に捲回されたコイル26とコイル26の中心を貫通する鉄芯27およびＬ字状の継鉄28とを有し、鉄芯27の先端を継鉄28の短軸側に設けられた貫通孔に嵌挿し締結することにより鉄芯27と継鉄28とが一体化されている。
【００１５】
継鉄28の長軸側先端に揺動自在に装着されたＬ字状の接極子29は一方に隙間を介して鉄芯27の端面と対向する面を具え、他方の先端近傍には可動接点ばね24に当接し動作時には可動接点ばね24を押し上げる絶縁性のカード30を具えている。
【００１６】
前記ケース21は内側に、継鉄28の上面に当接するストッパ31と継鉄28の下面に当接する固定爪32を突出させており、組立が完了した駆動部22を下側からケース21内に嵌挿することによって固定爪32が継鉄28に係合するよう構成されている。
【００１７】
【発明が解決しようとする課題】
しかし、図６に示す如くボビンが縦に配置された電磁継電器は一般に実装スペースの関係からボビン長さが制約され、巻回されたコイル直径を大きくすることによって所定の吸引力を得ているため専有面積が増大するという問題があった。
【００１８】
図７に示す如くボビンを水平に配置した電磁継電器はボビン長を比較的自由に選択できるため小型化が可能であるが、駆動部の外側に固定接点ばねや可動接点ばねがインサートモールドされた筒状のケースが介在し専有面積が大きくなる。
【００１９】
また、図６に示す電磁継電器および図７に示す電磁継電器はいずれも構成部品が大量生産に適した形状を具えているが、組立に際して部品の供給方向の微調整や位置調整等を行う必要があり組立の完全自動化が難しいという問題があった。
【００２０】
本発明の目的は制御電力の増大と専有面積の縮小が可能で部品の製造および組立が容易な電磁継電器を提供することにある。
【００２１】
【課題を解決するための手段】
図１は本発明になる電磁継電器の主要部を示す斜視図である。なお全図を通し同じ対象物は同一記号で表している。
【００２２】
上記課題は、ベース３と、ベース３に取付けられたブレーク側固定接点ばね４Ａおよびメーク側固定接点ばね４Ｂと、該ブレーク側固定接点ばね４Ａおよび該メーク側固定接点ばね４Ｂの上方に配置され、ベース３に係着された駆動部５とを有する電磁継電器において、ブレーク側固定接点ばね４Ａが、ベース３と平行な第１の接点固定腕41と、第１の接点固定腕41と交差しベース３を貫通する第１のリード端子部42とを有し、メーク側固定接点ばね４Ｂが、ベース３と平行な第２の接点固定腕43と、第２の接点固定腕43と交差する第２のリード端子部44と、第２のリード端子部44から突出しベース３の側面に圧入して該メーク側固定接点ばね４Ｂをベース３に取付ける固定片45とを有し、駆動部５が、ボビン52に巻回されたコイル53と、ボビン52に添設されボビン52を貫通した鉄心56の先端に短片側が固着され、鉄心56の下方に鉄心56と平行に長片側が配設されたＬ字状の継鉄57と、継鉄57の下方に鉄心56と平行に配設され一端が鉄心56の頭頂部に固着された可動接点ばね71と、可動接点ばね71に固着され、可動接点ばね71と継鉄57の間に継鉄57と対向するように配設された接極子72とを有し、ベース３に駆動部５を、可動接点ばね71がベース３に取付けられたブレーク側固定接点ばね４Ａとメーク側固定接点ばね４Ｂ間に位置するように係着することにより、ベース３と駆動部５のコイル53との間に可動接点ばね71とブレーク固定接点ばね４Ａとメーク固定接点ばね４Ｂおよび継鉄57と接極子72が設けられているように構成された電磁継電器によって達成される。
【００２３】
このようにベースに圧入されたブレーク側固定接点ばねおよびメーク側固定接点ばねを有し、ブレーク側固定接点ばねが、ベースと平行な第１の接点固定腕と、第１の接点固定腕と交差しベースを貫通する第１のリード端子部とを有し、メーク側固定接点ばねが、ベースと平行な第２の接点固定腕と、第２の接点固定腕と交差する第２のリード端子部と，第２のリード端子部から突出しベースの側面に圧入される固定片とを有する本発明の電磁継電器は、駆動部の外側に、固定接点ばねや可動接点ばねがインサートモールドされた筒状のケースを設ける必要が無く専有面積を縮小できる。
【００２４】
更に、ブレーク側固定接点ばねおよびメーク側固定接点ばねの幅や接点ばね間の間隔等、装着空間を任意に設定でき、それぞれの接点ばねに固着される接点の大きさや材質を適宜選択することによって制御電力を増大させることができる。
【００２５】
また、ブレーク側固定接点ばねおよびメーク側固定接点ばねの上方に配置されベースに係着された駆動部を有し、駆動部が、水平に配置されたボビンに巻回されたコイルと、ボビンに添設されボビンを貫通した鉄心の先端に固着されたＬ字状の継鉄と、継鉄の下方に鉄心と平行に配設され一端が鉄心の頭頂部に固着された可動接点ばねとを有する本発明の電磁継電器は、ボビンの長さを比較的自由に選択できるためコイル直径を大きくすることなく所定の吸引力が得られ、制御電力の増大が可能になると同時に専有面積の縮小が可能になる。
【００２６】
しかも、駆動部の構成部品を始めとしてベースやブレーク側およびメーク側固定接点ばねは量産に適した構造を有し、駆動部の組立の自動化、ブレーク側およびメーク側固定接点ばねの圧入、駆動部の装着の自動化が可能な構造を有する。
【００２７】
即ち、制御電力の増大と専有面積の縮小が可能で部品の製造および組立が容易な電磁継電器を実現することができる。
【００２８】
【発明の実施の形態】
以下添付図により本発明の実施例について説明する。なお図２は本発明になる電磁継電器の組立工程の一例を示す図、図３は本発明になる電磁継電器の中間完成体を示す斜視図、図４は本発明になる電磁継電器の第１の変形例を示す斜視図、図５は本発明になる電磁継電器の第２の変形例を示す斜視図である。
【００２９】
本発明の電磁継電器は図１に示す如くベース３とブレーク側固定接点ばね４Ａとメーク側固定接点ばね４Ｂとを有し、ベース３に圧入されたブレーク側固定接点ばね４Ａとメーク側固定接点ばね４Ｂの上方には駆動部５が配置されている。
【００３０】
ブレーク側固定接点ばね４Ａは第１の接点固定腕41および第１の接点固定腕41と交差する第１リード端子部42を有し、第１のリード端子部42は樹脂からなるベース３に設けられた角孔33に対し上方から垂直に圧入されベース３を貫通する。
【００３１】
メーク側固定接点ばね４Ｂは第２の接点固定腕43および第２の接点固定腕43と交差する第２のリード端子部44を有し、第２のリード端子部44が側方からベース３の切欠き34に嵌挿されるとベース３の角孔35に圧入される固定片45を有する。
【００３２】
一方、駆動部５は片側に一対のコイル端子51が植設された樹脂製のボビン52とボビン52に巻回されたコイル53を有し、ベース３に設けられた舌片36が嵌入し駆動部５をベース３に係着する掛止部54がボビン52の両側下端に設けられている。
【００３３】
ボビン52に植設された一対のコイル端子51は中間に突出しコイル53の端部を巻き付けはんだ付けする端子部55を有し、端子部55を折り曲げてコイル53を巻回した後端子部55を元の位置に戻してコイル53の端部が端子部55に巻き付けられる。
【００３４】
駆動部５はまたボビン52を貫通する鉄心56とボビン52に添設され鉄心56の先端に固着されるＬ字状の継鉄57とを具え、鉄心56は一端に形成された角形の頭頂部58を有し他端は継鉄57の短片側に設けられた貫通孔59に嵌挿されかしめられる。
【００３５】
ボビン52は両側に鉄心56の頭頂部58と継鉄57の短片側をそれぞれ収容する凹部60、61（凹部61は図示省略）を具備し、鉄心56の他端を継鉄57の短片側にかしめるときには鉄心56の頭頂部58と継鉄57の短片側は凹部60、61に収容されている。
【００３６】
本発明になる電磁継電器において角型をなす肉厚の頭頂部58はヘッダー加工によって鉄心56の一端に形成されており、切削加工等で頭頂部が形成される鉄心より製造コストが大幅に削減されると共に磁気特性を安定化させることができる。
【００３７】
駆動部５は更に継鉄57の下に鉄心56と平行に配設され一端が鉄心56の頭頂部58に固着されるＬ字状の可動接点ばね71と、可動接点ばね71に固着され頭頂部58の側面および継鉄57の側面と対向する接極子72とからなる接極子組立７を有する。
【００３８】
接極子72は下面に設けられた突起を可動接点ばね71の貫通孔（共に図示省略）に嵌挿しかしめることにより固着され，接極子組立７は可動接点ばね71の貫通孔73を頭頂部58が有する突起（図示省略）に嵌挿してかしめることで固着される。
【００３９】
可動接点ばね71は頭頂部58に固着される側から側方に延伸され且つ下方に屈曲させた一対のリード端子74を具えており、一対のコイル端子51およびリード端子74はベース３上の対応する位置に設けられた角孔37、38にそれぞれ嵌挿される。
【００４０】
以下、図２のフローチャートおよび図３の中間完成体に基づいて本発明になる電磁継電器について更に詳細に説明する。駆動部５の組立工程はコイル捲線工程と鉄心挿入工程と継鉄かしめ工程と接極子組立工程と駆動部完成工程からなる。
【００４１】
コイル捲線工程においてコイル53を巻回し端部をはんだ付けしたボビン52に鉄心挿入工程において鉄心56が挿入され、継鉄かしめ工程においてボビン52に継鉄57を添設すると共に鉄心56の先端に継鉄57の貫通孔59が嵌挿されかしめられる。
【００４２】
接極子組立工程において接極子72を可動接点ばね71上の所定の位置に固着することによって接極子組立７が形成され，可動接点ばね71の貫通孔73を頭頂部58の突起に嵌挿して鉄心56に固着することによって図３に示す駆動部５が完成する。
【００４３】
一方、Ｂ固定ばね圧入工程ではベース３の角孔33にブレーク側固定接点ばね４Ａの第１のリード端子部42が圧入され、駆動部５をベース３に装着すると可動接点ばね71の自由端がブレーク側固定接点ばねの第１の接点固定腕41と対向する。
【００４４】
駆動部５をベース３に装着したあと側方からメーク側固定接点ばね４Ｂをベース３の切欠き34に嵌挿することによって、メーク側固定接点ばね４Ｂの第２の接点固定腕43は可動接点ばね71の自由端を挟んで第１の接点固定腕41と対向する。
【００４５】
第１の接点固定腕41と第２の接点固定腕43に対向する可動接点ばね71の自由端は両面に可動接点75が固着されており、第１の接点固定腕41と第２の接点固定腕43の前記可動接点75と対向する位置にはそれぞれ固定接点46が固着されている。
【００４６】
図３に示す如く先ずブレーク側固定接点ばね４Ａをベース３に圧入したあと上方から駆動部５をベース３に装着し、続いてメーク側固定接点ばね４Ｂを側方からベース３上の所定位置に圧入することで電磁継電器の自動組立が容易になる。
【００４７】
コイル53に通電されていないとき可動接点75は所定圧力でブレーク側固定接点ばね４Ａの固定接点46に当接しており、コイル53に通電されると接極子72が吸着されて可動接点75が移動しメーク側固定接点ばね４Ｂの固定接点46に当接する。
【００４８】
可動接点75が固定接点46に当接するときの圧力は電磁継電器を組み立てたあと可動接点ばね71を撓めて調整されるが、本発明の電磁継電器は接点圧調整工具を挿抜可能な調整窓62がボビン52の可動接点ばね71の延長線上に設けられている。
【００４９】
このようにベースに圧入されたブレーク側固定接点ばねおよびメーク側固定接点ばねを有し、ブレーク側固定接点ばねが、ベースと平行な第１の接点固定腕と、第１の接点固定腕と交差しベースを貫通する第１のリード端子部とを有し、メーク側固定接点ばねが、ベースと平行な第２の接点固定腕と、第２の接点固定腕と交差する第２のリード端子部と，第２のリード端子部から突出しベースの側面に圧入される固定片とを有する本発明の電磁継電器は、駆動部の外側に、固定接点ばねや可動接点ばねがインサートモールドされた筒状のケースを設ける必要が無く専有面積を縮小できる。
【００５０】
更に、ブレーク側固定接点ばねおよびメーク側固定接点ばねの幅や接点ばね間の間隔等、装着空間を任意に設定でき、それぞれの接点ばねに固着される接点の大きさや材質を適宜選択することによって制御電力を増大させることができる。
【００５１】
また、ブレーク側固定接点ばねおよびメーク側固定接点ばねの上方に配置されベースに係着された駆動部を有し、駆動部が、水平に配置されたボビンに巻回されたコイルと、ボビンに添設されボビンを貫通した鉄心の先端に固着されたＬ字状の継鉄と、継鉄の下方に鉄心と平行に配設され一端が鉄心の頭頂部に固着された可動接点ばねとを有する本発明の電磁継電器は、ボビンの長さを比較的自由に選択できるためコイル直径を大きくすることなく所定の吸引力が得られ、制御電力の増大が可能になると同時に専有面積の縮小が可能になる。
【００５２】
しかも、駆動部の構成部品を始めとしてベースやブレーク側およびメーク側固定接点ばねは量産に適した構造を有し、駆動部の組立の自動化、ブレーク側およびメーク側固定接点ばねの圧入、駆動部の装着の自動化が可能な構造を有する。
【００５３】
即ち、制御電力の増大と専有面積の縮小が可能で部品の製造および組立が容易な電磁継電器を実現することができる。
前記実施例はベース上に１個の駆動部と１個のブレーク側固定接点ばねおよびメーク側固定接点ばねを具えているが、本発明の第１の変形例は図４に示す如く２個の駆動部と２個のブレーク側およびメーク側固定接点ばねとを具えている。
【００５４】
即ち、ベース８は左右対称に配置された２個の角孔33と２個の切欠き34と切欠き34の側面に設けた２個の角孔35を有し、ブレーク側固定接点ばね４Ａは第１のリード端子部42がベース８の中央に位置する角孔33にそれぞれ圧入されている。
【００５５】
ベース８はまた２個の駆動部５を装着しベース８に係止する手段としてぞれぞれ４個の舌片36および角孔37、38を有し、前記実施例と同様に２個の駆動部５を装着したあと横から２個のメーク側固定接点ばね４Ｂがベース８に圧入される。
【００５６】
また、本発明の第２の変形例は図５に示す如く２個の駆動部と１個のブレーク側およびメーク側固定接点ばねを具え、ベース８は前記ベース３と同様に１個の角孔33と１個の切欠き34と切欠き34の側面に開口する１個の角孔35とを有する。
【００５７】
ブレーク側固定接点ばね９Ａは２個の可動接点ばね71と対向する第３の接点固定腕91と第３のリード端子部92を有し、第３のリード端子部92を角孔33に圧入することにより直交する第３の接点固定腕91はベース８に対し平行に配設される。
【００５８】
ベース８はまた２個の駆動部５を装着しベース８に係止する手段としてぞれぞれ４個の舌片36および角孔37、38を有し、前記実施例と同様に２個の駆動部５を装着したあと横から１個のメーク側固定接点ばね９Ｂがベース８に圧入される。
【００５９】
ブレーク側固定接点ばね９Ａとメーク側固定接点ばね９Ｂとは可動接点75と対向する位置に２個の固定接点46を有し、コイル53に通電された方の駆動部５が作動して接極子72が吸引され可動接点75とメーク側の固定接点46との間が閉じる。
【００６０】
このように同一ベースに対して複数の駆動部を装着することによって１個の電磁継電器が専有する面積が更に縮小され、例えば、車載用設備のように限定された空間内に多数個の電磁継電器を実装する必要のある場合に極めて有効である。
【００６１】
【発明の効果】
上述の如く本発明によれば制御電力の増大と専有面積の縮小が可能で部品の製造および組立が容易な電磁継電器を提供することができる。
【図面の簡単な説明】
【図１】  本発明になる電磁継電器の主要部を示す斜視図である。
【図２】  本発明になる電磁継電器の組立工程の一例を示す図である。
【図３】  本発明になる電磁継電器の中間完成体を示す斜視図である。
【図４】  本発明になる電磁継電器の第１の変形例を示す斜視図である。
【図５】  本発明になる電磁継電器の第２の変形例を示す斜視図である。
【図６】  従来の大電力用電磁継電器の主要部を示す斜視図である。
【図７】  従来の小型電磁継電器の主要部を示す斜視図である。
【符号の説明】
３  ベース                        ４Ａ  ブレーク側固定接点ばね
４Ｂ  メーク側固定接点ばね        ５  駆動部
７  接極子組立                    ８  ベース
９Ａ  ブレーク側固定接点ばね      ９Ｂ  メーク側固定接点ばね
33  角孔                          34  切欠き
35  角孔                          36  舌片
37、38  角孔                      41  第１の接点固定腕
42  第１のリード端子部            43  第２の接点固定腕
44  第２のリード端子部            45  固定片
46  固定接点                      51  コイル端子
52  ボビン                        53  コイル
54  掛止部                        55  端子部
56  鉄心                          57  継鉄
58  頭頂部                        59  貫通孔
60、61  凹部                      62  調整窓
71  可動接点ばね                  72  接極子
73  貫通孔                        74  リード端子
75  可動接点                      91  第３の接点固定腕
92  第３のリード端子部            93  第４の接点固定腕
94  第４のリード端子部
【図１】
0003937483.tif 000002
【図２】
0003937483.tif 000003
【図３】
0003937483.tif 000004
【図４】
0003937483.tif 000005
【図５】
0003937483.tif 000006
【図６】
0003937483.tif 000007
【図７】
0003937483.tif 000008